(57)【要約】      （修正有）【課題】情景模型としての美観を損ねない平板状の走行支持面体において、狙い通りの進路を滑らかに走行させることができる模型を提供する。【解決手段】陸上を走行可能な駆動輪を有しない模型であって、接地面に超音波リニアモーター２、進行方向の前部にネオジム磁石、フェライト磁石、またはアルニコ磁石などの磁石１を有する。磁気誘導超音波リニアモーターで走行する。走行支持面体は、磁場への影響を避けるために非磁性体の平板を用い、模型の進路は、模型に設置した磁石を吸引するための磁性体、例えば鉄、ニッケル、コバルト、またはこれらの金属を含む合金の針金、フェライト等の磁性体を含有する樹脂を走行支持面体の裏側に設置することによって設定する。【選択図】図２
0003191312.tif 000002
【実用新案登録請求の範囲】
【請求項１】
陸上を走行可能な模型であって、接地面に超音波リニアモーター、進行方向の前部に磁石を有することを特徴とする磁気誘導超音波リニアモーター走行模型。
【考案の詳細な説明】
【技術分野】
【０００１】
本考案は、超音波リニアモーターおよび磁石を有した模型に関するものである。
【背景技術】
【０００２】
特許文献１および特許文献２には、超音波リニアモーターを有した模型または玩具、及び当該模型を走行させる走行支持面体について記載されている。
特許文献１の走行支持面体は、超音波リニアモーターを有した玩具が走行する凹状の移動経路を、複数のジグソーパズル片にて形成する。
しかしながら、特許文献１の走行支持面体は、凹状の走路およびジグソーパズル片の接続部が不自然であり、情景模型では凹凸及び継ぎ目を有し美観を損ねるものであった。
【０００３】
特許文献２の走行支持面体は、弾性率または硬度が超音波リニアモーターの左右で異なる場所で生じる反力の差によって、模型の進路を変えるものである。
しかしながら、特許文献２の走行支持面体では、弾性率または硬度が異なる区画への進入角および位置のずれによって進路が変化するため、模型の挙動を予測し、狙い通りの進路を走行させることが困難であった。
【０００４】
特許文献３には、磁石による方向変換機構と駆動輪を有し、走行支持面体に設置した磁性体に沿って走行する磁力誘導走行玩具について記載されている。
しかしながら、特許文献３の磁力誘導走行玩具が有する駆動輪は、車輪走行特有の振動や駆動音の発生原因であり、車輪を持たない船舶等の模型には不自然で実感を損ねるものであった。
【先行技術文献】
【特許文献】
【０００５】
【特許文献１】実登平07-3020411号公報
【特許文献２】特開平11-342275号公報
【特許文献３】実開平02-61399号公報
【考案の概要】
【考案が解決しようとする課題】
【０００６】
本考案は、情景模型としての美観を損ねない平板状の走行支持面体において、狙い通りの進路を滑らかに走行させることができる模型を提供することを目的とする。
【課題を解決するための手段】
【０００７】
本考案は、
１．陸上を走行可能な模型であって、接地面に超音波リニアモーター、進行方向の前部に磁石を有することを特徴とする磁気誘導超音波リニアモーター走行模型
である。
本考案の特徴は、接地面に超音波リニアモーター、進行方向の前部に磁石を有することを特徴とするものである。
【０００８】
本考案の磁気誘導超音波リニアモーター走行模型は陸上を走行するための模型部分とそれを駆動するための超音波リニアモーターと進行方向を決めるための磁石からなる。
【０００９】
本発明の模型は走行するための走行支持面体上を走行させる。
走行支持面体は、磁場への影響を避けるために非磁性体の平板、例えばメタクリル樹脂等の合成樹脂板、アルミニウム等の金属板、ガラス板、または合成樹脂化粧合板等の特殊加工化粧合板を用いることができる。
【００１０】
模型の進路は、模型に設置した磁石を吸引するための磁性体、例えば鉄、ニッケル、コバルト、またはこれらの金属を含む合金の針金、フェライト等の磁性体を含有する樹脂を走行支持面体の裏側に設置することによって設定する。 
【００１１】
模型は、走行支持面体に設置した磁性体に対応する磁石を有し、磁石は例えばネオジム磁石、フェライト磁石、またはアルニコ磁石を用いることができ、進行方向の前部に設置することにより模型の進路を規定することができる。
模型は、模型上の磁石と走行支持面体下の磁性体との吸引力によって進路を誘導される。
【００１２】
模型の材料は、磁場への影響を避けるために非磁性体、例えばポリスチレン樹脂等の合成樹脂、木材、および真鍮等の金属を用いるのが好ましい。
【００１３】  模型の駆動装置は、駆動輪を有しない超音波リニアモーター、例えば単４乾電池１個で駆動する（公序良俗違反につき、不掲載）などを用いることができる。
【考案の効果】
【００１４】
本考案に係わる模型の走行支持面体は、可能な限り継ぎ目のない平板であり、美観を損ねる不自然な凹凸がなく、磁気誘導超音波リニアモーター走行模型が滑らかに走行させることができる。
例えば、走行支持面体に透明な板を用いて、船舶が航行する水面に見立てることができる。
【００１５】
本考案に係わる模型は、模型の磁石と走行支持面体の磁性体との吸引力によって、狙い通りの進路を走行させることができる。
模型の進路は、製造者から提供される走行支持面体の部品に依存することなく自由に設計でき、且つ針金を用いて極めて簡便に設定できる。
本考案に係わる模型は、駆動装置として超音波リニアモーターを搭載することから、車輪走行特有の振動や可聴域の駆動音が発生しない。
【００１６】
以上より、本考案を船舶模型に応用すれば、水上を滑らかに航行する情景を演出し、船舶ファンのみならず、多くの人々を楽しませることができる。
また、本考案をエアクッション艇など平面を滑走する乗り物やロボット等の模型に応用すれば、子供たちが喜ぶとともに、磁力や超音波モーターの機構に関心を向ける理科教材にもなる。
【図面の簡単な説明】
【００１７】
【図１】磁気誘導超音波リニアモーター走行模型の外観図である。
【図２】磁気誘導超音波リニアモーター走行模型の側面図である。
【図３】磁気誘導超音波リニアモーター走行模型の平面図である。
【図４】磁気誘導超音波リニアモーター走行模型が走行支持面体の上を走行する状態を示した斜視図である。
【考案を実施するための形態】
【００１８】
以下、本考案の実施形態について実施例をもって説明する。
【実施例】
【００１９】
図１に示す船舶模型は、株式会社マイクロエース製１/７００さんふらわあを喫水線で切断し、その上部断端に株式会社タミヤ製０．５ｍｍ厚ポリスチレン板、商品名プラバンを接着して、喫水線より下の船体を省略した形に改造した。
改造後の模型の大きさは、全長２６９ｍｍ、全幅３６ｍｍ、全高５２ｍｍである。
超音波リニアモーター２は、株式会社シータスクの超音波リニアモーターユニット、商品名ユーエスモビールを用い、図２に示すように、駆動部が接地することによって船体が自立できるよう、船首から約１３０ｍｍにある模型の重心付近に配置し、模型底部に駆動部を露出し設置した。
【００２０】
磁石１は、縦１０ｍｍ、横１０ｍｍ、厚さ１ｍｍのネオジム磁石を用い、図２および図３に示すよう船首から約６０ｍｍの底部に固定した。
【００２１】
走行支持面体６は、縦３２０ｍｍ、横５５０ｍｍの三菱レイヨン株式会社製２ｍｍ厚透明メタクリル樹脂板、商品名アクリライトを用いた。
【００２２】
磁性体４は、図４に示すように、線径約０．５５ｍｍの鉄製針金を曲線半径１１０ｍｍ、直線部２２０ｍｍの小判型に整形し、株式会社中川ケミカル製青色粘着シート、商品名カッティングシートを用いて光洋産業株式会社製５ｍｍ厚スチレンボード、商品名デコパネに固定し、その上に走行支持面体６を重ねた。
【００２３】
図４に示すように走行支持面体６において、単４アルカリ乾電池を用いて船舶模型５を試走させた結果、船舶模型５は設定した進路に沿って滑らか且つ静かに走行し、半径１１０ｍｍの曲線を通過した。
【産業上の利用可能性】
【００２４】
船舶、エアクッション艇、ロボット等の模型として使用することができる。
【符号の説明】
【００２５】
1  磁石
2  超音波リニアモーター
3  船体
4  磁性体
5  船舶模型
6  走行支持面体
【図２】
0003191312.tif 000003
【図３】
0003191312.tif 000004
【図４】
0003191312.tif 000005
【図１】
0003191312.tif 000006
【手続補正書】
【提出日】平成26年4月16日(2014.4.16)
【手続補正１】
【補正対象書類名】明細書
【補正対象項目名】全文
【補正方法】変更
【補正の内容】
【考案の詳細な説明】
【技術分野】
【０００１】
本考案は、超音波リニアモーターおよび磁石を有した模型に関するものである。
【背景技術】
【０００２】
特許文献１および特許文献２には、超音波リニアモーターを有した模型または玩具、及び当該模型を走行させる走行支持面体について記載されている。
特許文献１の走行支持面体は、超音波リニアモーターを有した玩具が走行する凹状の移動経路を、複数のジグソーパズル片にて形成する。
しかしながら、特許文献１の走行支持面体は、凹状の走路およびジグソーパズル片の接続部が不自然であり、情景模型では凹凸及び継ぎ目を有し美観を損ねるものであった。
【０００３】
特許文献２の走行支持面体は、弾性率または硬度が超音波リニアモーターの左右で異なる場所で生じる反力の差によって、模型の進路を変えるものである。
しかしながら、特許文献２の走行支持面体では、弾性率または硬度が異なる区画への進入角および位置のずれによって進路が変化するため、模型の挙動を予測し、狙い通りの進路を走行させることが困難であった。
【０００４】
特許文献３には、磁石による方向変換機構と駆動輪を有し、走行支持面体に設置した磁性体に沿って走行する磁力誘導走行玩具について記載されている。
しかしながら、特許文献３の磁力誘導走行玩具が有する駆動輪は、車輪走行特有の振動や駆動音の発生原因であり、車輪を持たない船舶等の模型には不自然で実感を損ねるものであった。
【先行技術文献】
【特許文献】
【０００５】
【特許文献１】実登平07-3020411号公報
【特許文献２】特開平11-342275号公報
【特許文献３】実開平02-61399号公報
【考案の概要】
【考案が解決しようとする課題】
【０００６】
本考案は、情景模型としての美観を損ねない平板状の走行支持面体において、狙い通りの進路を滑らかに走行させることができる模型を提供することを目的とする。
【課題を解決するための手段】
【０００７】
本考案は、
１．陸上を走行可能な模型であって、接地面に超音波リニアモーター、進行方向の前部に磁石を有することを特徴とする磁気誘導超音波リニアモーター走行模型
である。
本考案の特徴は、接地面に超音波リニアモーター、進行方向の前部に磁石を有することを特徴とするものである。
【０００８】
本考案の磁気誘導超音波リニアモーター走行模型は陸上を走行するための模型部分とそれを駆動するための超音波リニアモーターと進行方向を決めるための磁石からなる。
【０００９】
本発明の模型は走行するための走行支持面体上を走行させる。
走行支持面体は、磁場への影響を避けるために非磁性体の平板、例えばメタクリル樹脂等の合成樹脂板、アルミニウム等の金属板、ガラス板、または合成樹脂化粧合板等の特殊加工化粧合板を用いることができる。
【００１０】
模型の進路は、模型に設置した磁石を吸引するための磁性体、例えば鉄、ニッケル、コバルト、またはこれらの金属を含む合金の針金、フェライト等の磁性体を含有する樹脂を走行支持面体の裏側に設置することによって設定する。
【００１１】
模型は、走行支持面体に設置した磁性体に対応する磁石を有し、磁石は例えばネオジム磁石、フェライト磁石、またはアルニコ磁石を用いることができ、進行方向の前部に設置することにより模型の進路を規定することができる。
模型は、模型上の磁石と走行支持面体下の磁性体との吸引力によって進路を誘導される。
【００１２】
模型の材料は、磁場への影響を避けるために非磁性体、例えばポリスチレン樹脂等の合成樹脂、木材、および真鍮等の金属を用いるのが好ましい。
【００１３】
模型の駆動装置は、駆動輪を有しない超音波リニアモーターユニットを用いることができる。
【考案の効果】
【００１４】
本考案に係わる模型の走行支持面体は、可能な限り継ぎ目のない平板であり、美観を損ねる不自然な凹凸がなく、磁気誘導超音波リニアモーター走行模型が滑らかに走行させることができる。
例えば、走行支持面体に透明な板を用いて、船舶が航行する水面に見立てることができる。
【００１５】
本考案に係わる模型は、模型の磁石と走行支持面体の磁性体との吸引力によって、狙い通りの進路を走行させることができる。
模型の進路は、製造者から提供される走行支持面体の部品に依存することなく自由に設計でき、且つ針金を用いて極めて簡便に設定できる。
本考案に係わる模型は、駆動装置として超音波リニアモーターを搭載することから、車輪走行特有の振動や可聴域の駆動音が発生しない。
【００１６】
以上より、本考案を船舶模型に応用すれば、水上を滑らかに航行する情景を演出し、船舶ファンのみならず、多くの人々を楽しませることができる。
また、本考案をエアクッション艇など平面を滑走する乗り物やロボット等の模型に応用すれば、子供たちが喜ぶとともに、磁力や超音波モーターの機構に関心を向ける理科教材にもなる。
【図面の簡単な説明】
【００１７】
【図１】磁気誘導超音波リニアモーター走行模型の外観図である。
【図２】磁気誘導超音波リニアモーター走行模型の側面図である。
【図３】磁気誘導超音波リニアモーター走行模型の平面図である。
【図４】磁気誘導超音波リニアモーター走行模型が走行支持面体の上を走行する状態を示した斜視図である。
【考案を実施するための形態】
【００１８】
以下、本考案の実施形態について実施例をもって説明する。
【実施例】
【００１９】
本考案の船舶模型を図１に示す。
模型の大きさは、全長２６９ｍｍ、全幅３６ｍｍ、全高５２ｍｍである。
超音波リニアモーター２は、株式会社シータスクの超音波リニアモーターユニット、商品名ユーエスモビールを用い、図２に示すように、駆動部が接地することによって船体が自立できるよう、船首から約１３０ｍｍにある模型の重心付近に配置し、模型底部に駆動部を露出し設置した。
【００２０】
磁石１は、縦１０ｍｍ、横１０ｍｍ、厚さ１ｍｍのネオジム磁石を用い、図２および図３に示すよう船首から約６０ｍｍの底部に固定した。
【００２１】
走行支持面体６は、縦３２０ｍｍ、横５５０ｍｍの三菱レイヨン株式会社製２ｍｍ厚透明メタクリル樹脂板、商品名アクリライトを用いた。
【００２２】
磁性体４は、図４に示すように、線径約０．５５ｍｍの鉄製針金を曲線半径１１０ｍｍ、直線部２２０ｍｍの小判型に整形し、株式会社中川ケミカル製青色粘着シート、商品名カッティングシートを用いて光洋産業株式会社製５ｍｍ厚スチレンボード、商品名デコパネに固定し、その上に走行支持面体６を重ねた。
【００２３】
図４に示すように走行支持面体６において、単４アルカリ乾電池を用いて船舶模型５を試走させた結果、船舶模型５は設定した進路に沿って滑らか且つ静かに走行し、半径１１０ｍｍの曲線を通過した。
【産業上の利用可能性】
【００２４】
船舶、エアクッション艇、ロボット等の模型として使用することができる。
【符号の説明】
【００２５】
1磁石
2超音波リニアモーター
3船体
4磁性体
5船舶模型
6走行支持面体
【手続補正２】
【補正対象書類名】図面
【補正対象項目名】全図
【補正方法】変更
【補正の内容】
【図１】
0003191312.tif 000007
【図２】
0003191312.tif 000008
【図３】
0003191312.tif 000009
【図４】
0003191312.tif 000010